(57)【特許請求の範囲】
【請求項１】
溶接機負荷と電気的に接続され、通電開始後所定期間に溶接電流が漸増するように溶接機コントローラにより制御される前記溶接機によって配電線に発生する電圧変動を補償する電圧変動補償装置であって、
前記溶接機負荷と電気的に接続された配電線の電圧を検出する計器用変圧器と、
負荷電流を検出する変流器と、
直列リアクトル、半導体スイッチ、および進相コンデンサを直列接続したリアクトル・コンデンサユニットを複数含み、前記溶接機負荷と並列に接続された進相コンデンサ回路と、
前記溶接機における通電開始前から、通電終了までの間に前記溶接機コントローラから出力される通電信号を受信すると共に、前記溶接機の通電開始後、該溶接機の漸増制御期間終了時まで通電同期信号を出力する通電同期信号出力部と、
前記通電同期信号の受信開始時から所定の時間間隔毎に、投入する進相コンデンサの容量値を次第に増加するように設定する投入量漸増部と、
前記計器用変圧器の出力および前記変流器の出力から演算される前記溶接機負荷の有効電力および無効電力に基づいて、前記配電線に発生する電圧変動に対応する補償値を検出する補償値検出部と、
前記補償値検出部によって検出された補償値に応じた進相コンデンサの容量値を演算する投入量演算部と、
前記通電同期信号受信中は、前記投入量漸増部で演算された容量値を出力すると共に、前記通電同期信号受信終了後は、前記投入量演算部で演算された容量値を出力する信号切換回路と、
前記信号切換回路から出力された容量値に基づいて、前記半導体スイッチをオン／オフする信号を出力する指令回路とを備えており、
前記通電同期信号出力部が、前記通電信号を受信してから前記溶接機の通電開始までの遅延時間を記憶する遅延時間記憶部、前記溶接機の漸増制御期間を記憶する漸増制御期間記憶部、通電信号受信後、前記遅延時間記憶部の記憶内容に基づいて、溶接機の通電開始までの遅延時間を計時する遅延タイマ、前記遅延タイマによって遅延時間が計時された後、前記漸増制御期間記憶部の記憶内容に基づいて、漸増制御期間が終了するまでの時間を計時する漸増制御期間タイマ、および前記漸増制御期間タイマが計時している間に通電信号を出力するＡＮＤ回路を有しており、
前記投入量漸増部が、所定時間間隔毎にパルスを発生させる漸増クロック発生回路、溶接機の通電開始時に発生する電圧降下を補償できる進相コンデンサ容量を記憶する漸増開始容量記憶部、および前記漸増開始容量記憶部に記憶されている進相コンデンサ容量から前記漸増クロック発生回路から出力されるパルスに従ってカウントアップを行うカウンタ回路を有していることを特徴とする電圧変動補償装置。
【請求項２】
前記進相コンデンサは、互いに異なる容量を有しており、前記指令回路は、入力された容量値から複数の前記半導体スイッチのうちオンにするものを決定することを特徴とする請求項１に記載の電圧変動補償装置。
【請求項３】
前記進相コンデンサのうち、最も容量の小さい進相コンデンサの容量を基準容量Ｃとしたとき、容量が小さい順にｉ番目の進相コンデンサの容量が、基準容量Ｃに２の（ｉ―１）乗を乗じた値（１≦ｉ≦ｎ、（ｎ：進相コンデンサの個数））になることを特徴とする請求項２に記載の電圧変動補償装置。
【請求項４】
前記信号切換回路は、前記通電信号が入力され、前記通電信号の出力が終了した際に、前記指令回路への出力を停止することを特徴とする請求項１〜３のいずれか１項に記載の電圧変動補償装置。
【発明の詳細な説明】
【技術分野】
【０００１】
本発明は、通電開始時に溶接電流が漸増する溶接機負荷と電気的に接続され、溶接機による配電線に発生する電力変動を補償する電圧変動補償装置に関する。
【背景技術】
【０００２】
通電開始時に溶接電流を漸増制御（スロープ制御）する溶接機では、漸増制御期間中は使用電力が半サイクル毎に変動するが、漸増制御期間終了後の使用電力はほぼ一定の値となる。従って、配電線の電圧降下は、溶接機の通電開始時の漸増制御期間中に大きく変動し、漸増制御期間終了後の定常状態ではほぼ一定値となる。
【０００３】
下記の特許文献１には、溶接機と並列接続され、互いに異なる容量を有し、その組合せによって全体のコンデンサ容量を複数段階で切り換えることができる進相コンデンサを個別にオン／オフすることによって、溶接機の漸増制御期間に配電線に発生する電圧降下を補償する電圧変動補償装置が開示されている。
すなわち、特許文献１に記載の電圧変動補償装置１０１は、図４に示すように、配電線の電圧を検出する計器用変圧器８２と、溶接機８０に流れる電流を検出する変流器８１と、計器用変圧器８２および変流器８１の出力から溶接機８０に生じる有効電力・無効電力を演算し、配電線に発生する電圧変動値に対応した補償値を検出する補償値検出部８４と、直列リアクトル９１ａ〜９４ａ、半導体スイッチ９１ｂ〜９４ｂ、および進相コンデンサ９１ｃ〜９４ｃをそれぞれ備える４つのリアクトル・コンデンサユニット９１〜９４を含む進相コンデンサ回路９０と、補償値検出部８４で検出された補償値から必要な進相コンデンサ９１〜９４の投入段数を演算し、演算結果を指令回路８９に出力する投入量演算部８５と、補償値検出部８４で検出された補償値に対応する段数分だけ進相コンデンサ９１〜９４が投入されるように半導体スイッチ９１ｂ〜９４ｂをオン／オフする信号を出力する指令回路８９とを備えている。
【特許文献１】特公平８−２５０７号公報
【発明の開示】
【発明が解決しようとする課題】
【０００４】
かかる有効電力・無効電力検出方式の電圧変動補償装置１０１において有効電力・無効電力の演算は、溶接機電流と配電線の電圧とを乗算し、半サイクル間で積分する。したがって、有効電力・無効電力に基づいて求められる補償値の検出には、半サイクルの遅延が生じる。
また、コンデンサ電流を過渡現象が生じることなく開閉するには、コンデンサ端子電圧と回路電圧とが一致するタイミングで進相コンデンサを投入する必要がある。よって、投入される進相コンデンサ回路は半サイクル以上前の有効電力・無効電力を補償するコンデンサ容量となってしまう。
【０００５】
ここで、図５に、上述の電圧変動補償装置１０１における進相コンデンサのオン／オフに関するタイムチャートを示す。図５に示すように、電圧変動補償装置１０１では、上述の有効電力・無効電力演算での半サイクルの遅延および進相コンデンサ投入タイミング待ちでの遅れに起因して電圧変動が生じる。
【０００６】
上述の遅延を生じさせることなく進相コンデンサを投入する方法として、溶接機の実際の通電タイミングよりも若干早めに出力される通電信号を利用して、溶接機の通電開始に合わせて進相コンデンサを投入することができる電圧変動補償装置を用いることが考えられる。
かかる電圧変動補償装置１０２では、図６に示すように、溶接機８０の溶接コントローラ８０ａから出力される通電信号に基づいて、溶接機通電開始から漸増制御期間終了までの間に出力される通電同期信号を出力する通電同期信号出力部８６を有しており、漸増制御期間中は、溶接機通電開始と同期して投入量記憶部８７に予め記憶されている一定容量（例えば、漸増制御期間の中間域における電圧降下をほぼゼロにできる量）の進相コンデンサ９１ｃ〜９４ｃを投入する信号を指令回路８９に出力する。
そして、信号切換回路８８が、溶接機８０の漸増制御期間終了後は、投入量演算部８５によって演算された段数分の進相コンデンサ９１ｃ〜９４ｃを投入する信号が指令回路８９に出力されるように切り換える。
【０００７】
図７に、上述の通電同期信号および有効電力・無効電力検出併用方式の電圧変動補償装置１０２の進相コンデンサのオン／オフに関するタイムチャートを示す。
図７に示すように、電圧変動補償装置１０２では、有効電力・無効電力演算での半サイクル遅延およびコンデンサ投入タイミング待ちでの遅れに起因する電圧変動は生じないが、漸増制御期間中に投入される進相コンデンサの容量が一定であるので、漸増制御期間中のある期間のみしか電圧変動をほぼゼロにすることはできない。すなわち、通電開始直後には電圧上昇が、漸増制御期間終了直前には電圧降下が生じる。
【０００８】
そこで、本発明の目的は、溶接機の全通電期間に亘って配電線に発生する電圧変動を補償することができる電圧変動補償装置を提供することである。
【課題を解決するための手段】
【０００９】
本発明の電圧変動補償装置は、溶接機負荷と電気的に接続され、通電開始後所定期間に溶接電流が漸増するように溶接機コントローラにより制御される前記溶接機によって配電線に発生する電圧変動を補償する電圧変動補償装置であり、前記溶接機負荷と電気的に接続された配電線の電圧を検出する計器用変圧器と、負荷電流を検出する変流器と、直列リアクトル、半導体スイッチ、および進相コンデンサを直列接続したリアクトル・コンデンサユニットを複数含み、前記溶接機負荷と並列に接続された進相コンデンサ回路とを備えている。さらに、かかる電圧変動補償装置は、前記溶接機における通電開始前から、通電終了までの間に前記溶接機コントローラから出力される通電信号を受信すると共に、前記溶接機の通電開始後、該溶接機の漸増制御期間終了時まで通電同期信号を出力する通電同期信号出力部と、前記通電同期信号の受信開始時から所定の時間間隔毎に、投入する進相コンデンサの容量値を次第に増加するように設定する投入量漸増部と、前記計器用変圧器の出力および前記変流器の出力から演算される前記溶接機負荷の有効電力および無効電力に基づいて、前記配電線に発生する電圧変動に対応する補償値を検出する補償値検出部と、前記補償値検出部によって検出された補償値に応じた進相コンデンサの容量値を演算する投入量演算部と、前記通電同期信号受信中は、前記投入量漸増部で演算された容量値を出力すると共に、前記通電同期信号受信終了後は、前記投入量演算部で演算された容量値を出力する信号切換回路と、前記信号切換回路から出力された容量値に基づいて、前記半導体スイッチをオン／オフする信号を出力する指令回路とを備えている。そして、前記通電同期信号出力部が、前記通電信号を受信してから前記溶接機の通電開始までの遅延時間を記憶する遅延時間記憶部、前記溶接機の漸増制御期間を記憶する漸増制御期間記憶部、通電信号受信後、前記遅延時間記憶部の記憶内容に基づいて、溶接機の通電開始までの遅延時間を計時する遅延タイマ、前記遅延タイマによって遅延時間が計時された後、前記漸増制御期間記憶部の記憶内容に基づいて、漸増制御期間が終了するまでの時間を計時する漸増制御期間タイマ、および前記漸増制御期間タイマが計時している間に通電信号を出力するＡＮＤ回路を有しており、前記投入量漸増部が、所定時間間隔毎にパルスを発生させる漸増クロック発生回路、溶接機の通電開始時に発生する電圧降下を補償できる進相コンデンサ容量を記憶する漸増開始容量記憶部、および前記漸増開始容量記憶部に記憶されている進相コンデンサ容量から前記漸増クロック発生回路から出力されるパルスに従ってカウントアップを行うカウンタ回路を有している。
【００１０】
また、本発明の電圧変動補償装置では、前記進相コンデンサは、互いに異なる容量を有しており、前記指令回路は、入力された容量値から複数の前記半導体スイッチのうちオンにするものを決定してもよい。
【００１１】
また、本発明の電圧変動補償装置では、前記進相コンデンサのうち、最も容量の小さい進相コンデンサの容量を基準容量Ｃとしたとき、容量が小さい順にｉ番目の進相コンデンサの容量が、基準容量Ｃに２の（ｉ―１）乗を乗じた値（１≦ｉ≦ｎ、（ｎ：進相コンデンサの個数））になってもよい。
【００１２】
さらに、本発明の電圧変動補償装置では、前記信号切換回路は、前記通電信号が入力され、前記通電信号の出力が終了した際に、前記指令回路への出力を停止することが好ましい。
【発明の効果】
【００１３】
従って、本発明の電圧変動補償装置は、溶接機コントローラから出力される通電信号を利用することによって、溶接機の漸増制御期間中は進相コンデンサ回路の容量を溶接電流の漸増状態に合わせて遅れなく制御し、かつ漸増制御期間終了後の溶接電流の変動が小さくなった期間は、溶接機に生じる有効電力および無効電力に従った補償値で進相コンデンサ回路の容量を制御することができる。よって、溶接機の全通電期間に亘って配電線に発生する電圧変動を補償することができる。
また、複数の進相コンデンサのなかに容量が同一であるものが含まれている場合に比べて、複数の進相コンデンサの組合せにより進相コンデンサ回路全体の容量の取り得る値の種類が増えるので、進相コンデンサ回路の容量を緻密に制御することができる。
さらに、進相コンデンサ回路全体での容量を等間隔で変化させることが可能となる。
加えて、溶接機における通電終了後に、有効電力および無効電力演算での半サイクル遅延に起因する進相コンデンサの引き外し遅れの発生をなくすことが可能となる。
【発明を実施するための最良の形態】
【００１４】
以下、本発明の好適な一実施の形態について、図面を参照しつつ説明する。
【００１５】
図１は、溶接機に本実施の形態に係る電圧変動補償装置を接続した図である。図１に示すように、本実施の形態に係る電圧変動補償装置１０は、溶接機１と並列に接続される。ここで、溶接機１は、図示しない交流電源に接続されていると共に、溶接機コントローラ１ａによって、通電開始後所定期間は溶接機電流が漸増するように制御される（図３参照）。
【００１６】
電圧変動補償装置１０は、配電線３の電圧を検出する計器用変圧器１１と、溶接機１に流れる電流を検出する変流器１３と、溶接機１と並列に接続されている進相コンデンサ回路２０と、計器用変圧器１１、変流器１３、および溶接機コントローラ１ａからの出力に基づいて、進相コンデンサ回路２０の後述する４つの半導体スイッチ２１ｂ〜２４ｂのオン／オフを制御するスイッチ制御部３０とを備えている。
【００１７】
進相コンデンサ回路２０は、直列リアクトル２１ａ〜２４ａ、半導体スイッチ２１ｂ〜２４ｂ、および進相コンデンサ２１ｃ〜２４ｃをそれぞれ備える４つのリアクトル・コンデンサユニット２１〜２４を含んでいる。半導体スイッチ２１ｂ〜２４ｂは、それぞれ進相コンデンサと直流リアクトルと直列に接続されている。
ここで、本実施の形態では、進相コンデンサ２１ｃ〜２４ｃがそれぞれ有する容量Ｃ１、Ｃ２、Ｃ３、Ｃ４は、Ｃ１：Ｃ２：Ｃ３：Ｃ４＝１：２：４：８となるように設定されている。したがって、半導体スイッチ２１ｂ〜２４ｂのうちオンにするものの組合せによって、進相コンデンサ回路２０全体でのコンデンサ容量を等間隔で１５段階変化させることができる。
【００１８】
次に、図２を用いて、スイッチ制御部３０についてより詳細に説明する。図２は、スイッチ制御部３０の概略構成を示すブロック図である。
【００１９】
図２に示すように、スイッチ制御部３０は、計器用変圧器１１の出力および変流器１３の出力から演算される溶接機負荷に発生する有効電力および無効電力に基づいて、配電線３に発生する電圧変動に対応する補償値を検出する補償値検出部３１と、補償値検出部３１によって検出された補償値に応じて、溶接機１によって生じる電圧変動を補償するために必要な進相コンデンサ容量、すなわち進相コンデンサ回路２０の投入段数を演算する投入量演算部３２とを有している。
【００２０】
ここで、補償値および必要な進相コンデンサ投入段数を求めるにあたって必要な、溶接機１が通電状態にある時に発生する電圧降下値ΔＶは以下の（式１）で、進相コンデンサにおける電圧上昇値ΔＶＵＰは以下の（式２）でそれぞれ算出することができる。
【００２１】
ΔＶ＝Ｐ×（％Ｒ×ｃｏｓθ＋％Ｘ×ｓｉｎθ）／（１０×１０６）      （式１）
ただし、ΔＶ：電圧降下値[％]、Ｐ：溶接機の皮相電力[ＶＡ]、％Ｒ：配電線の抵抗分インピーダンス（１０ＭＶＡ当たりの％）、ｃｏｓθ：溶接機の力率、％Ｘ：配電線のリアクタンス分インピーダンス（１０ＭＶＡ当たりの％）であり、ｓｉｎθは、溶接機の力率により算出されるものである（θ＝ｃｏｓ−１θ）。
【００２２】
ΔＶＵＰ＝Ｑ×％Ｘ／（１０×１０６）                                （式２）
ただし、ΔＶＵＰ：電圧上昇値[％]、Ｑ：進相コンデンサ容量[ｖａｒ]、％Ｘ：配電線のリアクタンス分インピーダンス（１０ＭＶＡ当たりの％）である。なお、（式２）は、上述の（式１）において進相コンデンサが供給する電力＝進み無効電力のみであることから導出されたものである。
【００２３】
本実施の形態では、（式１）に示す有効電力と無効電力による電圧降下の合計分を、進相コンデンサより供給される進相無効電流によって補償する方式を採っている。すなわち、本実施の形態では、溶接機１の通電状態における電圧降下を進相コンデンサの投入によって補償することから、（式１）の電圧降下値ΔＶが直ちに、進相コンデンサにおける電圧上昇値ΔＶＵＰに相当する関係となる。
したがって、補償値検出部３１では、電圧降下値ΔＶまたは進相コンデンサにおける電圧上昇値ΔＶＵＰを補償値として検出している。なお（式１）の電圧降下は、Ｐ×ｃｏｓθ×％Ｒの（有効電力の）項とＰ×ｓｉｎθ×％Ｘの（無効電力の）項の和である。
入力された電圧と電流から有効電力、無効電力を演算する方式は、既に別装置または従来知られた電圧変動補償装置で使用されており、本発明の電圧変動補償装置でも同じ方式で電力を演算後、インピーダンスを乗算して電圧降下を求めることができる。
【００２４】
したがって、進相コンデンサにおける電圧上昇値ΔＶＵＰが（式２）より求められることを利用すれば、通電時に必要な進相コンデンサ容量および進相コンデンサ投入段数を演算することが可能である。よって、投入量演算部３２では、上述の補償値および（式２）により、通電時に必要な進相コンデンサ容量および進相コンデンサ投入段数を演算している。
【００２５】
また、スイッチ制御部３０は、溶接機１において通電開始前から溶接機１の通電終了までの間に溶接機コントローラ１ａから出力される通電信号（図３参照）を受信すると共に、溶接機１における漸増制御期間Ｔ１（図３参照）中に通電同期信号（図３参照）を出力する通電同期信号出力部３３と、通電同期信号を受信すると共に、通電同期信号受信開始時から所定の時間間隔毎に、電圧変動を補償するために必要な進相コンデンサ容量、すなわち進相コンデンサ回路２０の投入段数を次第に増加するように設定する投入量漸増部４１とを有している。
【００２６】
ここで、図２に示すように、通電同期信号出力部３３は、遅延時間記憶部３４、遅延タイマ３５、漸増制御期間記憶部３６、漸増制御期間タイマ３７、およびＡＮＤ回路３８を有している。
遅延時間記憶部３４は、通電信号を受信してから溶接機１における通電開始までの遅延時間Ｔ２（図３参照）を記憶する。遅延タイマ３５は、通電信号受信後、遅延時間記憶部３４の記憶内容に基づいて、溶接機１における通電開始までの時間を計時する。また、漸増制御期間記憶部３６は、溶接機１における漸増制御期間Ｔ１を記憶する。漸増制御期間タイマ３７は、遅延タイマ３５によって、溶接機１の通電開始までの時間が計時された後、漸増制御期間記憶部３６の記憶内容に基づいて、漸増制御期間Ｔ１が終了するまでの時間を計時する。ＡＮＤ回路３８は、漸増制御期間タイマ３７が計時している間、通電同期信号を出力する。
【００２７】
投入量漸増部４１は、漸増クロック発生回路４２、漸増開始容量記憶部４３、およびカウンタ回路４４を有している。
漸増クロック発生回路４２は、進相コンデンサ回路２０の投入段数の漸増を半サイクル毎に行うか、または１サイクル毎に行うかを決めると共に、決定した時間間隔毎にパルスを発生させる。漸増開始容量記憶部４３は、溶接機１における通電開始時に発生する電圧降下を補償できる進相コンデンサの容量を記憶する。カウンタ回路４４は、通電同期信号が出力されている間は、漸増開始容量記憶部４３に記憶されている漸増開始容量に対応する進相コンデンサ回路２０の投入段数から、漸増クロック発生回路４２から出力されるパルスに従って１段階ずつカウントアップを行い、通電同期信号の出力が停止した際にはカウントアップを停止する。
【００２８】
さらに、スイッチ制御部３０は、信号切換回路４５と指令回路４６とを有している。
信号切換回路４５には、通電同期信号が入力され、通電同期信号受信中は、投入量漸増部４１で決定された投入段数を指令回路４６へ出力すると共に、通電同期信号受信終了後は、投入量演算部３２で演算された投入段数を指令回路４６へ出力する。
また、信号切換回路４５には、溶接機コントローラ１ａから出力される通電信号が入力されており、通電信号受信終了後は、指令回路４６への出力を停止する。指令回路４６は、信号切換回路４５から出力された投入段数に基づいて、４つの半導体スイッチ２１ｂ〜２４ｂのうちオンにするものの組合せを判断し、半導体スイッチ２１ｂ〜２４ｂをオン／オフする信号を出力する。
【００２９】
次に、図３を用いて、電圧変動補償装置１０の動作について説明する。図３は、本実施の形態の電圧変動補償装置１０の制御シーケンスのタイムチャートである。
【００３０】
まず、図３に示すように、時刻ｔ１に溶接機コントローラ１ａからの通電信号の出力が開始される。このとき出力された通電信号は、通電同期信号出力部３３および信号切換回路４５に入力される。
その後、遅延時間記憶部３４に記憶されている遅延時間Ｔ２が経過し、溶接機１の通電開始時刻ｔ２となると、通電同期信号出力部３３からの通電同期信号の出力が開始される。通電同期信号出力部３３からの通電同期信号の出力は、漸増制御期間記憶部３６に記憶されている漸増制御期間Ｔ１の間、すなわち時刻ｔ３まで行われる。
そして、このとき出力された通電同期信号は、投入量漸増部４１および信号切換回路４５に入力される。
【００３１】
続いて、投入量漸増部４１が、通電同期信号が入力された時刻ｔ２から通電同期信号の出力が終了する時刻ｔ３までの間、所定時間間隔毎に、次第に増加するように進相コンデンサの投入段数を設定する。
そして、信号切換回路４５が投入量漸増部４１で設定された投入段数を指令回路４６に出力し、指令回路４６によって進相コンデンサ回路２０全体のコンデンサ容量が投入量漸増部４１で設定された投入段数に応じた容量となるように半導体スイッチ２１ｂ〜２４ｂのオン／オフが制御される。
これにより、図３に示すように、溶接機１の通電開始時刻ｔ２と同時にコンデンサが投入され、漸増制御期間Ｔ１に対応する時刻ｔ２からｔ３の間では、進相コンデンサ回路２０の投入段数が漸増する。
【００３２】
その後、漸増制御期間Ｔ１が終了し、時刻ｔ３となると、信号切換回路４５は、投入量漸増部４１で設定された投入段数の指令回路４６への出力を終了し、計器用変圧器１１および変流器１３の出力に基づいて検出される補償値に応じて必要なコンデンサ容量の投入段数を演算する投入量演算部３２で演算された投入段数の指令回路４６への出力を開始する。
さらに、時刻ｔ４において、溶接機コントローラ１ａからの通電信号の出力が終了すると、信号切換回路４５は、投入量演算部３２で演算された投入段数の指令回路４６への出力を停止する。したがって、図３に示すように、溶接機１における通電終了時刻ｔ４以降は、コンデンサは引き外される。
【００３３】
以上のように、本実施の形態の電圧変動補償装置１０では、通電同期信号出力部３３が、溶接機コントローラ１ａから出力される通電信号に基づいて、溶接機１の漸増制御期間中に通電同期信号を出力する。
そして、投入量漸増部４１が、通電同期信号を受信し、通電同期信号受信開始時から所定の時間間隔毎に、次第に増加するように進相コンデンサ回路２０の投入段数を設定する。
一方、投入量演算部３２は、計器用変圧器１１の出力および変流器１３の出力に基づいて補償値検出部３１において検出される補償値から、溶接機１によって生じる電圧変動を補償するために必要な進相コンデンサ回路２０の投入段数を演算する。
さらに、信号切換回路４５が、通電同期信号出力部３３からの通電同期信号受信中は、投入量漸増部４１によって設定された投入段数を、また、通電同期信号受信終了後は、投入量演算部３２によって演算された投入量を指令回路４６に出力する。指令回路４６は、入力された投入段数に基づいて、４つの半導体スイッチ２１ｂ〜２４ｂのうちオンにするものの組合せを判断し、半導体スイッチ２１ｂ〜２４ｂをオン／オフする信号を出力する。
したがって、溶接機コントローラ１ａから出力される通電信号を利用することによって、溶接機１の漸増制御期間中における進相コンデンサ回路２０の容量を溶接電流の漸増状態に合わせて遅れなく制御し、かつ漸増制御期間終了後に溶接電流の変動が小さくなった期間では、溶接機１に生じる有効電力および無効電力に従った補償値で進相コンデンサ回路２０の容量を制御することができる。
よって、溶接機１の全通電期間に亘って配電線３に発生する電圧変動を補償することができる。
【００３４】
また、本実施の形態の電圧変動補償装置１０では、進相コンデンサ２１ｃ〜２４ｃは、互いに異なる容量を有している。これにより、進相コンデンサ２１ｃ〜２４ｃのなかに容量が同一であるものが含まれている場合に比べて、４つの進相コンデンサ２１ｃ〜２４ｃの組合せにより進相コンデンサ回路２０全体の容量の取り得る値の種類が増える。したがって、進相コンデンサ回路２０の容量を緻密に制御することができる。
【００３５】
また、本実施の形態の電圧変動補償装置１０では、進相コンデンサ２１ｃ〜２４ｃがそれぞれ有する容量Ｃ１、Ｃ２、Ｃ３、Ｃ４は、Ｃ１：Ｃ２：Ｃ３：Ｃ４＝１：２：４：８となるように設定されている。したがって、進相コンデンサ回路２０全体での容量を１５段階で等間隔に変化させることが可能となる。
【００３６】
さらに、本実施の形態の電圧変動補償装置１０では、信号切換回路４５には、通電信号が入力され、通電信号の出力が終了した際に、信号切換回路４５は指令回路４６への出力を停止する。したがって、溶接機１における通電終了後に、有効電力および無効電力演算での半サイクル遅延に起因する進相コンデンサの引き外し遅れの発生をなくすことが可能となる。
【００３７】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、進相コンデンサ回路２０が４つのリアクトル・コンデンサユニット２１〜２４を含んでいる場合について説明したが、進相コンデンサ回路２０に含まれるリアクトル・コンデンサユニットの個数は４つには限定されない。
【００３８】
また、上述の実施の形態では、進相コンデンサ２１ｃ〜２４ｃがそれぞれ有する容量Ｃ１、Ｃ２、Ｃ３、Ｃ４が、Ｃ１：Ｃ２：Ｃ３：Ｃ４＝１：２：４：８となるように設定されている場合について説明したが、容量Ｃ１〜Ｃ４の比はこれに限定されない。例えば、容量Ｃ１〜Ｃ４が互いに等しくてもよい。
【００３９】
さらに、上述の実施の形態では、信号切換回路４５に通電信号が入力され、通電信号の出力が終了した際に、信号切換回路４５が指令回路４６への出力を停止する場合について説明したが、これには限られない。通電信号が信号切換回路４５に入力されないような構成であってもよい。
【００４０】
また、上述の実施の形態では、進相コンデンサ回路２０の初期投入量を予め設定しておき、１段ずつ増加させる手法について説明したが、溶接機１の漸増制御期間における進相コンデンサ回路２０の投入段数漸増制御部はこれには限定されず、例えば、加算する段数を別途記憶させておき加算増加させる手法、投入量を予めメモリに記憶させておき任意のパターン制御を実現する等、種々の手法を採り得る。
【００４１】
加えて、補償値および必要な進相コンデンサ投入段数の具体的な算出方法についても、上述の実施例に記載のものに一切限定されず、既知の手法を適宜採用することができる。
【図面の簡単な説明】
【００４２】
【図１】溶接機に本発明の実施の形態に係る電圧変動補償装置を接続した図である。
【図２】図１に示すスイッチ制御部の概略構成のブロック図である。
【図３】図１に示す電圧変動補償装置の制御シーケンスのタイムチャートである。
【図４】溶接機に従来の有効電力・無効電力検出併用方式の電圧変動補償装置を接続した図である。
【図５】図４に示す電圧変動補償装置の制御シーケンスのタイムチャートである。
【図６】溶接機に従来の通電同期信号および無効電力・有効電力検出併用方式の電圧変動補償装置を接続した図である。
【図７】図６に示す電圧変動補償装置の制御シーケンスのタイムチャートである。
【符号の説明】
【００４３】
１  溶接機
１ａ  溶接機コントローラ
３  配電線
１０  電圧変動補償装置
１１  計器用変圧器
１３  変流器
２０  進相コンデンサ回路
２１〜２４  リアクトル・コンデンサユニット
２１ａ〜２４ａ  直列リアクトル
２１ｂ〜２４ｂ  半導体スイッチ
２１ｃ〜２４ｃ  進相コンデンサ
３０  スイッチ制御部
３１  補償値検出部
３２  投入量演算部
３３  通電同期信号出力部
３４  遅延時間記憶部
３６  漸増制御期間記憶部
４１  投入量漸増部
４５  信号切換回路
４６  指令回路
【図１】
0004676369.tif 000002
【図２】
0004676369.tif 000003
【図３】
0004676369.tif 000004
【図４】
0004676369.tif 000005
【図５】
0004676369.tif 000006
【図６】
0004676369.tif 000007
【図７】
0004676369.tif 000008